(57)【要約】【課題】ドアパネルへの取り付けが容易なケーブル式ウインドレギュレータ用のドラムハウジングを提供することを目的としている。【解決手段】円筒状の本体１６と、その本体周縁から外方に突出した案内脚１７と、その本体周縁から外方に突出した２本の取付脚１８とを備えているドラムハウジング１１。案内脚１７は、ハウジング本体の周囲から突出した脚部２６と、その脚部に設けられた連結部２７と、その先端に設けられた筒状の案内リング２８とからなる。また、案内リング２８の下方の一部２８ａがドアパネルＰを貫通するように突出している。【選択図】図２
2011157682.tif 000002
【特許請求の範囲】
【請求項１】
上面を有し、開口した下端がドアパネルと対向する円筒状の本体と、その本体の周縁から半径方向外方に突出した案内脚とを備えているケーブル式ウインドレギュレータ用のドラムハウジングであって、
前記案内脚が、前記ドアパネルと連結する連結部と、配索されるケーブルを通す案内リングとを有している、
ドラムハウジング。
【請求項２】
前記案内リングがドアパネルを貫通するように下方に突出している、請求項１記載のドラムハウジング。
【請求項３】
前記本体の周縁から半径方向外方に突出した取付脚を備えており、
前記取付脚は、前記ドアパネルと連結する連結する連結部と、下方に突出している突出片とを有している、請求項１記載のドラムハウジング。
【発明の詳細な説明】
【技術分野】
【０００１】
本発明は、ケーブル式ウインドレギュレータ用のドラムハウジングに関する。
【背景技術】
【０００２】
従来、自動車の窓ガラスを上下に駆動する装置として、ループ状に配索されるインナーケーブルを用いたケーブル式ウインドレギュレータが知られている。
このケーブル式ウインドレギュレータは、矩形状に四角に配置されるケーブルガイドと、そのケーブルガイドにガイドされて横８の字状に配索されるインナーケーブルと、そのインナーケーブルに固定される窓ガラスを保持するキャリアプレートと、上下のケーブルガイド間を移動するキャリアプレートをガイドするガイドレールと、インナーケーブルを駆動するケーブル駆動装置とから構成される。
このようなウインドレギュレータにおいて、インナーケーブルは撓んだり、折れ曲がったりするが、ガイドレールによってウインドレギュレータ全体としての形状をある程度保持させることができる。そのため、その搬送、そして、ドアパネルへの取り付けも、ガイドレールを軸にして行うことにより、スムースに行うことができた。
【０００３】
一方、近年、環境等の配慮、そして、コスト削減の面から、部品数の軽減が図られ、特許文献１および特許文献２の図９に開示されているように、ガイドレールを除いたウインドレギュレータが作られてきている。
【先行技術文献】
【特許文献】
【０００４】
【特許文献１】ＷＯ２００２／０７５０９０号公報
【特許文献２】特開２００１−２４８３５６号公報
【発明の概要】
【発明が解決しようとする課題】
【０００５】
しかし、ガイドレールを除いたケーブル式ウインドレギュレータのケーブルガイドをそのインナーケーブルに張力を持たせてドアパネルに取り付けるのは困難である。また、ケーブルガイドおよび駆動装置をインナーケーブルを撓ませた状態でドアパネルに取り付ける場合も、それぞれのケーブルガイドと駆動装置とは独立するため、その作業は煩雑になる。さらに、インナーケーブルを撓ませた状態で取り付ける場合、インナーケーブルが絡まったり、あるいは、インナーケーブルの配索方向を調整する作業が必要になる。
本発明は、このような問題点を解決すべく、ドアパネルへの取り付けが容易なケーブル式ウインドレギュレータ用のドラムハウジングを提供することを目的としている。
【課題を解決するための手段】
【０００６】
本発明は、上面を有し、開口した下端がドアパネルと対向する円筒状の本体と、その本体の周縁から半径方向外方に突出した案内脚とを備えているケーブル式ウインドレギュレータ用のドラムハウジングであって、前記案内脚が、前記ドアパネルと連結する連結部と、配索されるケーブルを通す案内リングとを有していることを特徴としている。ここでドアパネルとは、ドアパネルに取り付けられるモジュールプレートも含む。
【発明の効果】
【０００７】
本発明のドラムハウジングは、ケーブルを通す案内リングが設けられた取付脚を備えているため、配索されるケーブルを案内リングに通すことにより、ケーブルが撓んだ状態でもケーブルとドラムハウジングとを連結させることができるので、ウインドレギュレータの取り付け前の搬送時等でのケーブルの絡まりを抑えることができる。また、ウインドレギュレータをドアパネルに取り付けるとき、撓ませたケーブルは、各部品をドアパネルに取り付けることにより広げられて配索されて、その後、張力が与えられる。しかし、ケーブルが撓んだ状態でもケーブルとドラムハウジングとが連結されているため、ケーブルの配索経路が各部品の取り付けと共に簡単に確保できる。
【０００８】
本発明のドラムハウジングであって、前記案内リングがドアパネルを貫通するように下方に突出している場合、案内リングをドアパネルに突き刺すことにより、ドラムハウジングをドアパネルに仮止めすることができる。つまり、仮止めによりドラムハウジングの配置決めができ、その後、ネジ等によりドラムハウジングを固定することができる。このように、配置決めと固定とを別々の操作ででき、取り付け作業が容易になる。また、ウインドレギュレータにおいて、通常ドラムハウジングは、配索されたケーブルの略中心部に配置されるため、ドラムハウジングを仮止めしてから、ウインドレギュレータの他の部品の取り付け、そして、ケーブルの配索経路を確保することにより、より一層円滑な取り付けが可能となる。
【０００９】
本発明のドラムハウジングであって、前記本体の周縁から半径方向外方に突出した取付脚をさらに備えており、前記取付脚は前記ドアパネルと連結する連結する連結部と、下方に突出している突出片とを有している場合、突出片をドアパネルに突き刺すことにより一層安定して仮止めができる。
【図面の簡単な説明】
【００１０】
【図１】図１ａ、ｂは、本発明のドラムハウジングを用いたドラムセットの一実施形態を示す下面図、Ａ−Ａ線断面図である。
【図２】図２ａ、ｂ、ｃは、本発明のドラムハウジングの一実施形態を示す平面図、Ｂ−Ｂ線断面図、Ｃ−Ｃ線断面図である。
【図３】図３ａ、ｂ、ｃは、図１ａ、ｂのケーブルドラムを示す側面図、平面図、Ｄ−Ｄ線断面図である。
【図４】図４は、本発明のドラムハウジングを用いたウインドレギュレータセットの一実施形態を示す概略図である。
【発明を実施するための形態】
【００１１】
図１ａ、図１ｂのドラムセット１０は、本発明のドラムハウジング１１と、そのドラムハウジングに収容されるケーブルドラム１２とを備えている。このドラムセット１０のケーブルドラム１２の軸受１３に、ドアパネルを介してモータを備えた駆動セット（図示せず）の軸芯を挿入し、ドラムセット１０と駆動セットとを連結してウインドレギュレータの駆動装置を構成する。
【００１２】
ドラムハウジング１１は、図２ａ〜ｃに示すように、円筒状の本体１６と、その本体周縁から外方に突出した案内脚１７と、その本体周縁から外方に突出した２本の取付脚１８とを備えている。
【００１３】
本体１６は、図２ｃに示すように、下端（図面右側）が開口しており、上端（図面右側）が上面１９によって閉じられている。上面１９の中心には、後述するケーブルドラム１２の係合軸と係合する係合部２１（図２ｃ参照）が形成されている。係合部２１は、上面の中心に中心孔を形成する円筒状の内壁２２を備えており、その内壁２２には、下方（図面右方向）に縮径するように係合段部２３が形成されている。
【００１４】
案内脚１７は、ハウジング本体の周囲から突出した脚部２６と、その脚部に設けられた連結部２７と、その先端に設けられた筒状の案内リング２８とからなる（図２ａ、ｂ参照）。この案内リング２８にケーブルを挿入しておくことにより、ケーブルとドラムハウジングとを連結させることができる。また、案内リング２８の下方の一部２８ａがドアパネルＰを貫通するように突出している。この突出した部位をドアパネルＰに設けられた係合孔Ｈ１に挿入することにより、ドラムハウジングの位置および向きが決定され、ドアパネルへ仮止めされる。
連結部２７は、ネジ穴となっており、ドアパネルＰを挟んで駆動セットの連結孔とネジにより連結される部位である。
【００１５】
取付脚１８は、ハウジング本体の周囲から突出した脚部３１と、その脚部に設けられた連結部３２と、その先端に設けられた突出片３３とからなる。連結部３２は、案内脚の連結部と同様に、ドアパネルＰを介して駆動セットの連結孔（図示せず）とネジにより連結される部位である。突出片３３は、ドアパネルに取り付けたときにドアパネルを貫通するように下方に突出しており、かつ、その下方先端に突出片に対して垂直方向に突出し、ドアパネルと係合する係合突起３３ａが形成されている。突出片３３は、ドアパネルＰに設けられた係合孔Ｈ３に挿入することにより、ドラムハウジング１１を仮止めた状態が一層安定になる。また、係合突起３３ａをそのドアパネルＰの係合孔Ｈ３に引っ掛けるように係合させることにより、仮止めでもドラムハウジング１１とドアパネルＰとの抜け落ちが防止できる。
【００１６】
ケーブルドラム１２は、図３ａ〜ｃに示すように、円筒状のドラム本体３６と、その中心下部に設けられた駆動装置の駆動軸と係合する断面が正方形状の軸受１３と、その中心上端に環状に設けられた係合軸３８と、側面に形成されたケーブル溝３９と、２つのケーブルのエンドをそれぞれ保持する第１エンド保持部４０と、第２エンド保持部４１とを備えている。係合軸３８は、先端が外方に突出しており、ハウジングの係合部２１の係合段部２３とクリップ嵌合するように構成されている。
【００１７】
図１ｂに戻って、このドラムセット１０は、ドラムハウジング１１の係合部２１にケーブルドラム１２の係合軸３８を挿入することにより、ドアパネルＰ（想像線）から外れないように、回転自在に連結される。このドラムセット１０を、ドラムハウジング１１の案内リング２８および突出片３３をそれぞれドアパネルの係合孔に挿入して仮止めする。その後、ドラムハウジングの連結部２７、３２を駆動セットの連結部とドアパネルＰを挟んでネジにより固定する。
このように本発明のドラムセット１０は、ドアパネルへの取り付けが容易である。また、ケーブルが案内リング２８を通っているため、ケーブルの配索経路の確保がしやすい。
この実施形態では、突出片３３を取付脚に設けたが、ハウジング本体の下端の一部あるいは全周を下方に突出させるようにしても良い。この場合、ドアパネルの係合孔その突出片に合わせて環状あるいは円弧状に設けられることになる。
【００１８】
図４のウインドレギュレータセット５０は、本発明のドラムハウジング１１が特に好ましく用いられるものである。このウインドレギュレータセット５０は、矩形状にしてドアパネルに取り付けられる４個のケーブルガイド５１ａ（図中、右上）、５１ｂ（図中、右下）、５１ｃ（図中、左上）、５１ｄ（図中、左下）と、その矩形状に配索されたケーブルの略中央に取り付けられるドラムセット１０と、ケーブルガイドおよびドラム部材を巻回して、かつ、上下のケーブルガイドを直接連結するように略「横８」の字状に配索されるインナーケーブル５３と、それぞれ上下のケーブルガイド５１ａ、５１ｂ間および５１ｃ、５１ｄ間に配索されたインナーケーブル５３に連結されるキャリアプレート５４ａ（図中、右）、５４ｂ（図中、左）とを備えている。このウインドレギュレータセット５０をドアパネルに取り付けた後、ドラムセット１０に駆動セット（図示せず）を取り付けることによりウインドレギュレータとなる。
このウインドレギュレータ５０において、ケーブルガイド５１ａ〜５１ｄ、インナーケーブル５３、キャリアプレート５４ａ、５４ｂは従来公知のものである。
【００１９】
このウインドレギュレータセット５０において、ドラムセットのドラムハウジング１１の案内リング２８に、８の字状に配索されるケーブルの対角線にあたるケーブル５３ｃ（図１、参照）の一方を通すことにより、他の対角線にあたるケーブル５３ａとの絡みを防止することができ、ケーブル５３ａ、５３ｃの重なり順序（上下の配置）を設計した通りで配索することができる。特に、案内リング２８にドラムに巻回されていないケーブル５３ｃを案内することにより、ケーブル５３ｃは案内リング２８により支持され、ケーブル５３ａはケーブルドラム１２により支持されることになる。そのため、ケーブル５３ａ、５３ｃとドラムハウジング１１とがしっかり連結され、ウインドレギュレータの取付時におけるインナーケーブルの配索が容易になる。
【符号の説明】
【００２０】
Ｐ  ドアパネル
Ｈ１、Ｈ３  係合孔
１０  ドラムセット
１１  ドラムハウジング
１２  ケーブルドラム
１３  軸受
１６  円筒状の本体
１７  案内脚
１８  連結脚
１９  上面
２１  係合部
２２  内壁
２３  係合段部
２６  脚部
２７  連結部
２８  案内リング
２８ａ  案内リングの一部
３１  脚部
３２  連結部
３３  突出片
３３ａ  係合突起
３６  ドラム本体
３８  係合軸
３９  ケーブル溝
４０  第１エンド保持部
４１  第２エンド保持部
５０  ウインドレギュレータセット
５１ａ、５１ｂ、５１ｃ、５１ｄ  ケーブルガイド
５３  インナーケーブル
５４ａ、５４ｂ  キャリアプレート
【図１】
2011157682.tif 000003
【図２】
2011157682.tif 000004
【図３】
2011157682.tif 000005
【図４】
2011157682.tif 000006